(57)【要約】【課題】多数のモジュラジャックを容易に一括して装着及び離脱することができるような着脱工具を提供することを課題とする。【解決手段】第１の支持具１０は、複数のモジュラプラグ６を整列した状態で収容する。第２の支持具２０は、第１の支持具１０に取り付けられた際にモジュラプラグ６のロック解除爪６ａを押し下げてロックを解除する。第１の支持具１０はモジュラプラグ６の挿入方向に延在する係合溝１７を有する。第２の支持具２０は、挿入方向に移動することで第１の支持具１０の係合溝１７に係合する係合部２３を有する。【選択図】  図１
2010176887.tif 000002
【特許請求の範囲】
【請求項１】
複数のモジュラプラグを整列した状態で収容する第１の支持具と、
該第１の支持具に取り付けられた際に該モジュラプラグのロック解除爪を押し下げてロックを解除する第２の支持具と
を有し、
前記第１の支持具は前記モジュラプラグの挿入方向に延在する係合溝を有し、
前記第２の支持具は、該挿入方向に移動することで前記第１の支持具の前記係合溝に係合する係合部を有するモジュラプラグ着脱工具。
【請求項２】
請求項１記載のモジュラプラグ着脱工具であって、
前記第１の支持具は収容した前記モジュラプラグの各々の係合凹部に係合する係合凸部を有するモジュラプラグ着脱工具。
【請求項３】
請求項１又は２記載のモジュラプラグ着脱工具であって、
前記第１の支持具の前記係合溝は、前記モジュラプラグの整列方向における前記第１の支持具の両端側に形成され、前記第２の支持具の前記係合部は、前記モジュラプラグの整列方向における前記第２の支持具の両端に形成されるモジュラプラグ着脱工具。
【請求項４】
複数のモジュラプラグをモジュラジャックから取り外すためのモジュラプラグの離脱方法であって、
一列に整列したモジュラジャックに接続されている前記モジュラプラグに対して、前記モジュラプラグの前記モジュラジャックへの挿入方向に第１の支持具を移動して、該第１の支持具に前記複数のモジュラプラグを収容し、
前記複数のモジュラプラグを収容した前記第１の支持具に対して、前記挿入方向に第２の支持具を移動して、前記第２の支持具の係合部を前記第１の支持具の係合溝に挿入すると共に、前記第２の支持具で前記複数のモジュラプラグのロック解除爪を押圧してロックを解除し、
前記第１及び第２の支持具を、前記モジュラプラグの離脱方向に移動することにより、前記複数のモジュラプラグを同時に前記モジュラジャックから抜き取る
モジュラプラグの離脱方法。
【請求項５】
複数のモジュラプラグをモジュラジャックに装着するためのモジュラプラグの装着方法であって、
第１の支持具に前記複数のモジュラプラグを一列に整列した状態で収容すると共に、前記第１の支持具に第２の支持具を取り付けて該第２の支持具により前記複数のモジュラプラグのロック解除爪を押圧し、
前記第１の支持具に収容された状態で、前記複数のモジュラプラグをモジュラジャックに接続し、
前記第２の支持具を前記モジュラプラグの挿入方向とは反対の方向に移動して前記第１の支持具から取り外すことにより前記ロック解除爪の押圧を解除して前記複数のモジュラプラグを前記モジュラジャックにロックし、
前記第１の支持具を前記複数のモジュラプラグから取り外す
モジュラプラグの装着方法。
【発明の詳細な説明】
【技術分野】
【０００１】
本発明はモジュラプラグをモジュラジャックに着脱するためのモジュラプラグ着脱工具に関する。
【背景技術】
【０００２】
通信機器に通信用ケーブルを接続するためのインタフェースとして、モジュラコネクタが用いられることが多い。モジュラコネクタは、一対のモジュラジャックとモジュラプラグとを含み、モジュラプラグをモジュラジャックに挿入して接続する。
【０００３】
特に、近年の通信機器においては、ＬＡＮ等のネットワークを構築するために通信機器に多数の通信用ケーブルを接続する必要があり、迅速な接続と信頼性の高い接続を行なうことのできるモジュラコネクタによる接続が主流となっている。また、通信用ケーブルを接続する機器が大型で高機能となるのに伴い、接続する通信用ケーブルの本数が増加し、その結果、機器に搭載するモジュラジャックの数が増加している。
【０００４】
機器を設置してネットワークを新たに構築したり機器を変更してネットワークを再構築したりする際には、通信用ケーブルを機器へ接続する作業あるいは機器から取り外す作業が必要である。すなわち、通信ケーブルの先端に取り付けられたモジュラプラグを、機器に設けられたモジュラジャックに装着したり、モジュラジャックから離脱したりする作業を行なう必要がある。
【０００５】
モジュラプラグをモジュラジャックに装着する作業は、モジュラプラグをモジュラジャックに挿入するだけでよい。モジュラプラグをモジュラジャックに挿入すると、モジュラプラグのロック機構が作動し、モジュラプラグはモジュラジャックに接続された状態で固定される。一方、モジュラプラグをモジュラジャックから離脱する作業は、モジュラプラグのロック解除爪を押し下げてロックを解除しながらモジュラプラグをモジュラジャックから引き抜く作業となる。
【０００６】
上述のように接続される通信用ケーブルの数が多くなると、モジュラジャックの数も多くなり、モジュラプラグをモジュラジャックに一つ一つ着脱していると通信用ケーブルの着脱作業が繁雑であり時間がかかってしまう。例えば、機器の運用時における機器の故障や機器の変更の際には、機器の運転を停止してメンテナンス作業を行なう。このため、通信用ケーブルの着脱作業に時間がかかると、メンテナンス作業時間が長くなり、それだけ機器を停止している時間が長くなってしまう。例えば、公衆に通信サービスを提供する通信機器の場合、機器の停止中は通信サービスが停止していることとなり、ユーザにサービスを提供できない状態となる。
【０００７】
したがって、機器の停止時間を短くするためにメンテナンス作業における通信用ケーブルの着脱時間を極力短くすることが望ましい。そこで、複数のモジュラプラグのロック解除爪を一括して押し下げて、当該複数のモジュラプラグを一度にモジュラジャックから離脱するための工具が提案されている（例えば、特許文献１参照。）。
【先行技術文献】
【特許文献】
【０００８】
【特許文献１】特開２００６−１９２０７号公報
【発明の概要】
【発明が解決しようとする課題】
【０００９】
複数のモジュラジャックを機器に設ける場合、通常、モジュラジャックを機器の全面や後面に一列に整列して配置する。モジュラジャックの数が多くなると、隣接したモジュラジャックの間隔が狭くなり、モジュラプラグのロック解除爪を指で押し下げながら引き抜く作業を容易に行なうことができなくなる。
【００１０】
また、薄型化された機器がラック内で多段に積み上げられて設置される場合が多く、そのような場合には、モジュラプラグの左右の間隔だけでなく、上下の間隔も非常に狭くなる。すると、モジュラプラグのロック解除爪を指で押し下げてロックを解除する動作を行なうことがより難しくなり、モジュラプラグをモジュラジャックから引き抜いて離脱する作業に時間がかかってしまう。
【００１１】
上述の特許文献１で提案されている複数のモジュラプラグを一度にモジュラジャックから離脱するための工具は、複数のモジュラプラグを上下のアダプタで挟み込んでロック解除爪を押し下げる機構である。したがって、モジュラプラグの上下の間隔が狭くなると、上下のモジュラプラグやそこから延出する通信用ケーブルに邪魔されて、アダプタをモジュラプラグの上下に配置することができなくなってしまう。
【００１２】
そこで、多数のモジュラジャックが上下左右に配置されていても、容易に複数のモジュラジャックを一括して装着及び離脱することができるような着脱工具の開発が望まれている。
【課題を解決するための手段】
【００１３】
一実施形態では、複数のモジュラプラグを整列した状態で収容する第１の支持具と、該第１の支持具に取り付けられた際に該モジュラプラグのロック解除爪を押し下げてロックを解除する第２の支持具とを有し、前記第１の支持具は前記モジュラプラグの挿入方向に延在する係合溝を有し、前記第２の支持具は、該挿入方向に移動することで前記第１の支持具の前記係合溝に係合する係合部を有するモジュラプラグ着脱工具が提供される。
【００１４】
また、複数のモジュラプラグをモジュラジャックから取り外すためのモジュラプラグの離脱方法であって、一列に整列したモジュラジャックに接続されている前記モジュラプラグに対して、前記モジュラプラグの前記モジュラジャックへの挿入方向に第１の支持具を移動して、該第１の支持具に前記複数のモジュラプラグを収容し、前記複数のモジュラプラグを収容した前記第１の支持具に対して、前記挿入方向に第２の支持具を移動して、前記第２の支持具の係合部を前記第１の支持具の係合溝に挿入すると共に、前記第２の支持具で前記複数のモジュラプラグのロック解除爪を押圧してロックを解除し、前記第１及び第２の支持具を、前記モジュラプラグの離脱方向に移動することにより、前記複数のモジュラプラグを同時に前記モジュラジャックから抜き取るモジュラプラグの離脱方法が提供される。
【００１５】
また、複数のモジュラプラグをモジュラジャックに装着するためのモジュラプラグの装着方法であって、第１の支持具に前記複数のモジュラプラグを一列に整列した状態で収容すると共に、前記第１の支持具に第２の支持具を取り付けて該第２の支持具により前記複数のモジュラプラグのロック解除爪を押圧し、前記第１の支持具に収容された状態で、前記複数のモジュラプラグをモジュラジャックに接続し、前記第２の支持具を前記モジュラプラグの挿入方向とは反対の方向に移動して前記第１の支持具から取り外すことにより前記ロック解除爪の押圧を解除して前記複数のモジュラプラグを前記モジュラジャックにロックし、前記第１の支持具を前記複数のモジュラプラグから取り外すモジュラプラグの装着方法が提供される。
【発明の効果】
【００１６】
上述のモジュラプラグ着脱工具を用いた場合、離脱させるべき複数のモジュラプラグに対して第１の支持具を配置してから、第２の支持具を第１の支持具に取り付けることで、ロック解除爪が押し下げられ且つモジュラプラグは第１の支持具１０に固定される。したがって、第１の支持具を引っ張るだけで、複数のモジュラプラグを一度に離脱させることができる。
【００１７】
また、装着すべきモジュラプラグを第１の支持具に取り付け、且つ第１の支持具に第２の支持具を取り付けることで、ロック解除爪が押し下げられ且つ複数のモジュラプラグは第１の支持具に固定される。したがって、複数のモジュラプラグを第１の支持具ごとモジュラジャックに押し込むことで、複数のモジュラプラグをモジュラジャックに同時に装着することができる。
【図面の簡単な説明】
【００１８】
【図１】一実施形態によるモジュラプラグ着脱工具を用いて複数のモジュラジャックを離脱する作業工程を示す図である。
【図２】支持具を拡大して示す図である。
【図３】スライド板を拡大して示す図である。
【図４】図２及び図３に示される支持具とスライド板を用いてモジュラジャックからモジュラプラグを離脱する動作を模式的に示す図である。
【図５】図２及び図３に示される支持具とスライド板を用いて複数のモジュラプラグを同時にモジュラジャックに装着する動作を模式的に示す図である。
【発明を実施するための形態】
【００１９】
一実施形態について図面を参照しながら説明する。
【００２０】
図１は一実施形態によるモジュラプラグ着脱工具を用いて複数のモジュラジャックを離脱する作業工程を示す図である。図１において、モジュラジャック２が８個一列に整列して設けられ、その８個のモジュラジャック２の列が上下に２列設けられた機器４が３台、上下に積み重ねられた状態で配置されている。図１（ａ）には、最上段の機器４の上側の列の８個のモジュラジャック２の各々にモジュラプラグ６が装着された状態が示されている。
【００２１】
図１において、モジュラプラグ６から延在する通信用ケーブル８は、図示を容易にするために短く切られた状態で示されているが、実際には機器４の前側に長く延在している。また、実際には、３台の機器４のモジュラジャック２の全てにモジュラプラグ６が設けられ、各モジュラプラグ６から通信用ケーブル８が延在している。このため、機器４の前面側には多数の通信用ケーブル８が延在しており、最上段の列より下の列のモジュラプラグ６はほとんど見えない状態になっている。
【００２２】
本実施形態によるモジュラプラグ着脱工具は、図１（ｂ）に示す支持具１０（第１の支持具）と、図１（ｃ）に示すスライド板２０（第２の支持具）を含む。支持具１０は、図１（ｃ）に示すように、一列中の８個のモジュラジャック６の下側に配置される。スライド板２０は、図１（ｄ）に示すように、支持具１０に係合しながらモジュラジャック６の上側に配置される。
【００２３】
ここで、第１の支持具としての支持具１０について詳細に説明する。図２は支持具１０を拡大して示す図である。図２（ａ）は支持具１０の平面図であり、図２（ｂ）は支持具１０の正面図であり、図２（ｃ）は支持具１０の側面図である。また、図２（ｄ）は図２（ｂ）におけるＡ−Ａ線に沿った支持具１０の断面図である。
【００２４】
支持具１０は、例えばステンレス鋼板やメッキ鋼板のような金属板を加工して形成されることが好ましいが、薄くて強度を維持できる材料であれば、例えば樹脂等の他の材料で形成されてもよい。本実施形態では、支持具１０はステンレス鋼板を加工して形成されたものとする。
【００２５】
支持具１０は、底板１１と、底板１１の前側から垂直に延在する前板１２と、底板１１の左右両側に垂直に延在する側板１３とを有する。底板は図１に示す８個のモジュラプラグ６を一度に支持することができる長さを有する。底板１１には、支持するモジュラプラグ６の係合凹部に対応して８個の係合凸部１４が設けられている。係合凸部１４は、底板１１となるステンレス鋼板を内側に切り起して形成することができる。係合凸部１４の各々が、後述のように、対応するモジュラプラグ６の係合凹部に係合することで、支持具１０はモジュラプラグ６に取り付けられる。
【００２６】
前板１２には、対応するモジュラプラグ６に応じて切り欠き１５が形成されている。支持具１０がモジュラプラグ６を収容した際に、モジュラプラグ６から延在する通信用ケーブル８は切り欠き１５を通じて支持具１０の外部に延在することができる。
【００２７】
左右の側板１３の各々には、内側に向かって平行に延在する２つの張り出し部１６が形成されており、２つの張り出し部１６の間に、モジュラプラグ６のモジュラジャック２への挿入方向に延在する係合溝１７が形成される。２つの張り出し部１６の間隔（すなわち係合溝１７の幅）は、後述のスライド板２０の係合部が挿入できる寸法となっている。
【００２８】
次に、第２の支持具としてのスライド板２０について詳細に説明する。図３はスライド板２０を拡大して示す図である。図３（ａ）はスライド板２０の平面図であり、図３（ｂ）はスライド板２０の正面図であり、図３（ｃ）はスライド板２０の側面図である。
【００２９】
スライド板２０は、例えばステンレス鋼板やメッキ鋼板のような金属板を加工して形成されることが好ましいが、薄くて強度を維持できる材料であれば、例えば樹脂等の他の材料で形成されてもよい。本実施形態では、スライド板２０はステンレス鋼板を加工して形成されたものとする。
【００３０】
スライド板２０は、上板２１と、上板２１から垂直に延在する前板２２とを有する。上板２１の左右両端部には、係合部２３が形成されている。係合部２３は、上述の支持具１０の係合溝１７に挿入される部分である。
【００３１】
上板２１の後側（すなわち、前板２２が延在する側の反対側）には、上板２１から延在する傾斜板２４が形成されている。傾斜板２４は、後述するように、支持具１０に収容された８個のモジュラプラグ６のロック解除爪に当接してこれを押し下げるための部分である。傾斜板２４の両側の部分に相当する位置にはスリット（切り込み）２５が設けられており、傾斜板２４が延在する部分の上板２１と係合部２３とが分離されている。これにより、係合部２３が支持具１０の係合溝１７に挿入されてスライド板２０が固定されているときにも、上板２１の傾斜板２３が延在する部分は弾性変形することができる。これにより、傾斜板２３と上板２１の傾斜板２３が延在する部分とで、モジュラプラグ６のロック解除爪を適度に押し下げることができる。すなわち、上板２１にスリット２５を設けることで、モジュラプラグ６のロック解除爪を過度に強く押し下げてロック解除爪が破損しないように、上板２１の傾斜板２４が延在する部分は僅かに弾性的に、ロック解除爪を押し下げる方向とは反対の方向に変形可能となっている。
【００３２】
前板２２には、支持具１０の前板１２と同様に、対応するモジュラプラグ６に応じて切り欠き２６が形成されている。支持具１０にスライド板２０を取り付けた際に、支持具１０に収容されたモジュラプラグ６から延在する通信用ケーブル８は切り欠き２６を通じて支持具１０及びスライド板２０の外部に延在することができる。
【００３３】
次に、本実施形態によるモジュラプラグ着脱工具を用いてモジュラプラグをモジュラジャックから引き抜いて離脱させる方法について、図１及び図４を参照しながら説明する。図４は、図２及び図３に示される支持具１０とスライド板２０を用いてモジュラジャック２からモジュラプラグ６を引き抜く動作を模式的に示す図である。図４（ａ）〜図４（ｅ）は、それぞれ図１（ａ）〜図１（ｅ）に対応している。
【００３４】
なお、図１には、一つの機器４に設けられた２列のモジュラジャック２０の上側の列からモジュラプラグ６を引き抜いて離脱することが示されている。一方、図５では一つの機器４に設けられた２列のモジュラジャック２０の上側の列と下側の列の両方からモジュラプラグ６を引き抜いて離脱することが示されている。上側の列と下側の列では、モジュラジャックの上下が逆となっているだけであり、離脱動作としては変わらない。
【００３５】
図１（ａ）に示すように、モジュラプラグ６がモジュラジャック２に挿入されて装着された状態にあるものとする。図１（ａ）の状態を模式的に示した図が図４（ａ）に相当する。モジュラプラグ６のロック解除爪６ａは押圧されていない通常の状態であり、モジュラプラグ６はモジュラジャック２に挿入された状態でロックされている。モジュラプラグ６のロック解除爪６ａの反対側には、係合凹部６ｂが設けられている。
【００３６】
まず、図１（ｂ）及び図１（ｃ）に示すように、支持具１０をモジュラプラグ６に対して配置して、モジュラプラグ６を支持具１０に収容する。図１に示す例では、モジュラジャック２が８個一列になっているので、モジュラプラグ６も一列に８個あり、８個のモジュラプラグ６が支持具１０に一度に収容される。支持具１０はステンレス鋼板で形成されており肉厚が薄いため、上下のモジュラプラグ６及び通信用ケーブル８の間に容易に差し入れることができる。支持具１０の前板１２の切り欠き１５に通信用ケーブル８を通した状態で、支持具１０をモジュラプラグ６に向かって移動することで、容易にモジュラプラグ６を収容する位置まで支持具１０を移動することができる。このとき、支持具１０の底板１１に設けられている係合凸部１４は、対応するモジュラプラグ６の係合凹部６ｂに係合する（図４（ｃ）参照）。これにより、支持具１０はモジュラプラグ６を収容した状態でモジュラプラグに対して固定される。
【００３７】
支持具１０を、モジュラジャック２に装着されたモジュラプラグ６に対して固定した後、図１（ｃ）及び図１（ｄ）に示すように、支持具１０に収容されたモジュラプラグ６に対してスライド板２０を取り付ける。すなわち、スライド板２０の前板２２に設けられた切り欠き２６に通信用ケーブル８を通した状態でスライド板２０を支持具１０の上側の位置に向けてモジュラプラグ６の挿入方向に移動する。そして、スライド板２０の係合部２３を支持具２０の係合溝１７に挿入しながらスライド板２０を押し込む。このとき、スライド板２０の傾斜板２４の面がモジュラプラグ６のロック解除爪６ａに当接し、スライド板２０を押し込むに連れて、ロック解除爪６ａが傾斜板２４上をスライドして押圧される。スライド板２０を最後まで押し込むと、ロック解除爪６ａはスライド板２０の上板２１により完全に押し下げられ、モジュラプラグ６のロックが解除される（図４（ｄ）に示された状態であり、完全に押し下げられたロック解除爪６ａが点線で示されている。）。
【００３８】
モジュラプラグ６のロックが解除されたら、図１（ｅ）に示すように、支持具１０とスライド板２０とをモジュラプラグ６の離脱方向に引っ張ることで、８個のモジュラプラグ６をモジュラジャック２から一度に引き抜くことができる。すなわち、図４（ｅ）に示すように、モジュラプラグ６は支持具１０に収容されて係合凸部１４が係合凹部６ｂに係合しているため、支持具１０を引っ張ると、８個のモジュラプラグ６も同時に引っ張られてモジュラジャック２から引き抜かれる。
【００３９】
以上のように、離脱させるべきモジュラプラグ６に対して支持具１０を配置してから、スライド板２０を支持具１０に取り付けることで、ロック解除爪６ａが押し下げられ且つモジュラプラグ６は支持具１０に固定される。したがって、支持具１０を引っ張るだけで、８個のモジュラプラグ６を一度に引き抜くことができる。支持具１０をモジュラプラグ６に取り付ける際及びスライド板２０を支持具１０に取り付ける際は、支持具１０及びスライド板２０をモジュラプラグ６の挿入方向に移動するだけでよい。したがって、モジュラプラグ６の上下に大きな空間を確保する必要がなく、上下にモジュラプラグ６が狭い間隔で密集して配置されていても、容易に支持具１０及びスライド板２０をモジュラプラグ６の間に差し込むことができる。
【００４０】
次に、本実施形態によるモジュラプラグ着脱工具を用いて複数のモジュラプラグをモジュラジャックに一度に差し込んで装着する装着方法について、図５を参照しながら説明する。図５は、図２及び図３に示される支持具１０とスライド板２０を用いて８個のモジュラプラグ６を同時にモジュラジャック２に装着する動作を模式的に示す図である。基本的には、図１及び図４に示す離脱動作を逆に行なえばよい。
【００４１】
まず、図５（ａ）に示すように、スライド板２０が取り付けられた支持具１０に、装着すべき８個のモジュラプラグ６を挿入して取り付ける。モジュラプラグ６を挿入する際に、モジュラプラグ６のロック解除爪６ａはスライド板２０の傾斜板２４に沿って移動して押し下げられる。これにより、モジュラプラグ６のロック機構は解除状態となり、モジュラプラグ６をモジュラジャック２に挿入できる状態となる。
【００４２】
そこで、スライド板２０及び支持具１０と一緒に、８個のモジュラプラグ６をモジュラジャック２に向けて挿入方向に移動し、モジュラプラグ６をモジュラジャック２に挿入する。そして、図５（ｂ）に示すように、モジュラプラグ６をモジュラジャック２に挿入したまま、スライド板２０を支持具１０から取り外す。すると、スライダ２０の上板２１により押し下げられていたモジュラプラグ６のロック解除爪６ａは、スライダ２０が取り外されたため、元のロック位置に戻る。これにより、モジュラプラグ６はモジュラジャック２にロックされて、モジュラプラグの接続（装着）が完了する。
【００４３】
そこで、図５（ｃ）に示すように、支持具１０の係合凸部１４とモジュラプラグ６の係合凹部６ａとの係合を解除し、モジュラプラグ６から支持具１０を取り外す。これにより、図５（ｄ）に示すように、モジュラプラグ６のモジュラジャック２への装着が完了する。
【００４４】
以上のように、支持具１０にスライダ２０を取り付けてから、装着すべきモジュラプラグ６を支持具１０に取り付けることで、ロック解除爪６ａが押し下げられ且つモジュラプラグ６は支持具１０に固定される。したがって、複数（８個）のモジュラプラグ６を支持具１０ごとモジュラジャック２に押し込むことで、８個のモジュラプラグ６を一度に装着することができる。スライド板２０を支持具１０から取り外す際及び支持具１０をモジュラプラグ６から取り外する際は、スライド板２０及び支持具１０をモジュラプラグ６の離脱方向に移動するだけでよい。したがって、モジュラプラグ６の上下に大きな空間を確保する必要がなく、上下にモジュラプラグ６が狭い間隔で密集して配置されていても、容易に支持具１０及びスライド板２０をモジュラプラグ６の間から取り除くことができる。
【００４５】
なお、本実施形態では、８個のモジュラプラグ６が一列に整列してモジュラジャック２に装着されるが、モジュラプラグ６の数は８個に限られず、モジュラプラグ着脱工具は任意の数のモジュラプラグ６を収容することとしてもよい。
【００４６】
以上のように、本明細書は以下の事項を開示する。
（付記１）
複数のモジュラプラグを整列した状態で収容する第１の支持具と、
該第１の支持具に取り付けられた際に該モジュラプラグのロック解除爪を押し下げてロックを解除する第２の支持具と
を有し、
前記第１の支持具は前記モジュラプラグの挿入方向に延在する係合溝を有し、
前記第２の支持具は、該挿入方向に移動することで前記第１の支持具の前記係合溝に係合する係合部を有するモジュラプラグ着脱工具。
（付記２）
付記１記載のモジュラプラグ着脱工具であって、
前記第１の支持具は収容した前記モジュラプラグの各々の係合凹部に係合する係合凸部を有するモジュラプラグ着脱工具。
（付記３）
付記１又は２記載のモジュラプラグ着脱工具であって、
前記第１の支持具の前記係合溝は、前記モジュラプラグの整列方向における前記第１の支持具の両端側に形成され、前記第２の支持具の前記係合部は、前記モジュラプラグの整列方向における前記第２の支持具の両端に形成されるモジュラプラグ着脱工具。
（付記４）
付記３記載のモジュラプラグ着脱工具であって、
前記第２の支持具は、前記モジュラプラグの挿入方向に傾斜して延在する傾斜部を有し、該傾斜部が該挿入方向に移動することで、前記モジュラプラグの前記ロック解除爪を押し下げるモジュラプラグ着脱工具。
（付記５）
付記４記載のモジュラプラグ着脱工具であって、
前記第２の支持具は、前記モジュラプラグの整列方向における前記傾斜部の両端に対応する位置にスリットを有するモジュラプラグ着脱工具。
（付記６）
付記１乃至５のうちいずれか一項記載のモジュラプラグ着脱工具であって、
前記第１及び第２の支持具は金属板により形成されるモジュラプラグ着脱工具。
（付記７）
複数のモジュラプラグをモジュラジャックから取り外すためのモジュラプラグの離脱方法であって、
一列に整列したモジュラジャックに接続されている前記モジュラプラグに対して、前記モジュラプラグの前記モジュラジャックへの挿入方向に第１の支持具を移動して、該第１の支持具に前記複数のモジュラプラグを収容し、
前記複数のモジュラプラグを収容した前記第１の支持具に対して、前記挿入方向に第２の支持具を移動して、前記第２の支持具の係合部を前記第１の支持具の係合溝に挿入すると共に、前記第２の支持具で前記複数のモジュラプラグのロック解除爪を押圧してロックを解除し、
前記第１及び第２の支持具を、前記モジュラプラグの離脱方向に移動することにより、前記複数のモジュラプラグを同時に前記モジュラジャックから抜き取る
モジュラプラグの離脱方法。
（付記８）
複数のモジュラプラグをモジュラジャックに装着するためのモジュラプラグの装着方法であって、
第１の支持具に前記複数のモジュラプラグを一列に整列した状態で収容すると共に、前記第１の支持具に第２の支持具を取り付けて該第２の支持具により前記複数のモジュラプラグのロック解除爪を押圧し、
前記第１の支持具に収容された状態で、前記複数のモジュラプラグをモジュラジャックに接続し、
前記第２の支持具を前記モジュラプラグの挿入方向とは反対の方向に移動して前記第１の支持具から取り外すことにより前記ロック解除爪の押圧を解除して前記複数のモジュラプラグを前記モジュラジャックにロックし、
前記第１の支持具を前記複数のモジュラプラグから取り外す
モジュラプラグの装着方法。
【符号の説明】
【００４７】
２  モジュラジャック
４  機器
６  モジュラプラグ
８  通信用ケーブル
１０  支持具
１１  底板
１２  前板
１３  側板
１４  係合凸部
１５  切り欠き
１６  張り出し部
１７  係合溝
２０  スライド板
２１  上板
２２  前板
２３  係合部
２４  傾斜板
２５  スリット
２６  切り欠き
【図２】
2010176887.tif 000003
【図３】
2010176887.tif 000004
【図１】
2010176887.tif 000005
【図４】
2010176887.tif 000006
【図５】
2010176887.tif 000007